(57)【特許請求の範囲】
【請求項１】
ディスクの挿入に伴って第１の部材と第２の部材との間で規定されたスライド区間をスライド部材がスライドし、このスライド部材のスライドによって検出手段の切り替え動作が為され、上記ディスクの径の識別を行うディスク再生装置において、
上記スライド部材は、上記スライド区間におけるスライド方向に対して垂直な平面内で傾倒可能に支持される傾倒支持手段を具備し、
上記第１の部材は装置シャーシであると共に、上記第２の部材はディスクガイドであり、さらに、
上記装置シャーシと上記スライド部材の間に設けられていて、凹部及び凸部の係合からなると共に上記装置シャーシに対して上記スライド部材をスライド自在に支持する第１の凹凸係合部と、
上記ディスクガイドと上記スライド部材の間に設けられていて、凹部及び凸部の係合からなると共に上記ディスクガイドに対して上記スライド部材をスライド自在に支持する第２の凹凸係合部と、
を具備しており、
上記第１の凹凸係合部及び上記第２の凹凸係合部によって上記傾倒支持手段が構成されていて、
上記第１の凹凸係合部又は上記第２の凹凸係合部の少なくとも一方は、上記凸部がレール状体、及びこのレール状体に係合する上記凹部が係合溝から構成される、
ことを特徴とするディスク再生装置。
【請求項２】
前記レール状体の突出側の端部は、曲面状に形成されていることを特徴とする請求項１記載のディスク再生装置。
【請求項３】
前記第１の凹凸係合部又は前記第２の凹凸係合部のうち、前記レール状体および前記係合溝を除く部分は、凸部がピン状部材、及びこのピン状部材に係合する凹部がガイド溝から構成されることを特徴とする請求項１または２記載のディスク再生装置。
【請求項４】
前記スライド部材のうち、前記第１の凹凸係合部側又は前記第２の凹凸係合部を構成する前記凹部又は凸部の少なくとも１つが、前記スライド区間に沿う方向に長尺状となるスライド案内部を有していて、このスライド案内部の前記凹部又は凸部によって、前記スライド区間におけるスライドが安定的にガイドされることを特徴とする請求項１から３のいずれか１項に記載のディスク再生装置。
【請求項５】
前記装置シャーシには、この側方部分に弾性支持部材が取り付けられていて、この弾性支持部材を介して全体を覆うケース体内に収納されることを特徴とする請求項１から４のいずれか１項に記載のディスク再生装置。
【発明の詳細な説明】
【０００１】
【発明の属する技術分野】
本発明は、ディスク再生装置に関する。
【０００２】
【従来の技術】
ディスク再生装置の一種である光ディスク再生装置においては、８ｃｍのディスク、及び１２ｃｍのディスクの両者とも演奏可能なタイプが一般的である。かかる光ディスク再生装置においては、光ピックアップのスレッド動作開始位置やディスクチャッキングを良好に行うために、挿入されたディスクの径を識別する必要がある。このディスクの径を識別する方式の１つとしては、メカ的なスイッチ機構を設け、このスイッチ機構によりディスク径識別のためのスイッチをオン作動させるものがある。
【０００３】
メカ的なスイッチ機構を設ける方式では、ディスクとスイッチの間に何らかの機構部材を設け、この機構部材を介してディスクの径の識別を行う。かかるメカ的なスイッチ機構を設ける方式には、ディスクの挿入をガイドするディスクガイド側にスライド又は回動する部材を設ける方式と、シャーシ側にスライド又は回動する部材を設ける方式とがある。
【０００４】
このうち、ディスクガイド側にスライド又は回動する部材を設ける方式の一例を、図８に示す。この方式では、ディスクガイドに設けられたスライド溝１００及びガイド溝１０１に夫々ガイドピン１０２ａ，１０２ｂが嵌め込まれると共に、ワッシャ１０３等で該ガイドピン１０２ａ，１０２ｂがスライド溝１００及びガイド溝１０１から抜け止めされている。また、両方のガイドピン１０２ａ，１０２ｂは、共にプレート１０４に取り付けられていて、このプレート１０４のうちガイドピン１０２ａ，１０２ｂが設けられている側とは反対側に向かいディスク当接ピン１０５が突出して設けられている。
【０００５】
ディスク当接ピン１０５の他端側は、シャーシに設けられた溝等によって案内されており、ガイドピン１０２ａ，１０２ｂは、いわゆる両持ちで支持されている。また、ディスク当接ピン１０５がスライド溝１００及びガイド溝１０１に沿ってスライドした場合に、ディスク当接ピン１０５によって動作させられる２つの検出スイッチがスライド溝１００に配置されている。すなわち、ディスク当接ピン１０５によりディスクが挿入された場合にオン作動される第１の検出スイッチ１０６と、１２ｃｍのディスクが挿入された場合のみオン作動される第２の検出スイッチ１０７とが、スライド溝１００に沿って配置されている。
【０００６】
また、他の方式としては、図９に示すように、ディスク差し込み口１１０近傍等に、ディスク径識別のための光センサ１１１をプレート１１２に所定個数だけ設け、この光センサ１１１に対するディスク１０８の通過具合によってディスク再生装置の内部に挿入される該ディスク１０８の径の識別を行うものがある。
【０００７】
【発明が解決しようとする課題】
ところで、上述の各方式のうち、光センサ１１１を設ける方式では、ディスク径の識別のための機構が高価なものとなり、コスト的に好ましくない。それ故、コスト的な面から見ると、メカ的なスイッチ機構を設ける方式の方が好ましい。
【０００８】
また、メカ的なスイッチ機構を用いる場合において、ディスク再生装置に要求される項目としては、コスト的なものの他に、小型化・薄型化や、縦・横置きが可能であることが挙げられる。この場合、小型化・薄型化、及び縦・横置きに密接に関係する構成上の要素として、アウターケースに対してディスク再生装置の機構部分をフローティング状態で支持させるための、ダンパがある。
【０００９】
ここで、機構部分のシャーシ１２０に対するダンパ１２１の取付の態様として、図１０に示す３つのタイプがある。まず、図１０（ａ）に示すタイプは、シャーシの側面部にダンパ１２１が取り付けられ、主に平面方向でのシャーシ１２０（メカ機構）の移動を可能とする場合である。また、図１０（ｂ）に示すタイプは、シャーシ１２０の底面部にダンパ１２１が取り付けられ、主に垂直方向でのシャーシ１２０の移動を可能とする場合である。また、図１０（ｃ）に示すタイプは、シャーシ１２０側面部にダンパ１２１が取り付けられると共に、回動アーム１２２を設けてこの回動アーム１２２の回動にてディスク径の検知を行うものである。
【００１０】
このうち、縦・横置きの観点から見れば、ダンパ１２１はメカ部の最も外側に配置することが好ましい点から図１０（ａ）に示すタイプが最も望ましく、図１０（ｂ）に示すタイプでは適さない。また、図１０（ｃ）に示すタイプでは、回動領域が大きく取られてしまい、小型化が難しい、といった問題がある。しかし、小型化・薄型化を優先させると、図１０（ｂ）に示すタイプや図１０（ｃ）に示すタイプが採用されてしまうことが生じている。
【００１１】
そこで、図１０（ａ）に示すタイプのダンパの取付態様を採用しつつも、小型化・薄型化、コストダウンも図れることが望ましい。また、従来に示すスライド部材とメカスイッチを設ける構造のものにあっては、ガイドピン１０２ａ，１０２ｂを両持ちしているディスクガイドとシャーシの両者間の位置合わせにずれが生じた場合、ガイドピン１０２ａ，１０２ｂが垂直に立たずに傾倒する。すると、ガイドピン１０２ａ，１０２ｂのスムーズなスライド動作が為されない。
【００１２】
本発明は、上記の事情に基づきなされたもので、その目的とするところは、ディスクガイドやシャーシ等の固定部材間で支持されるスライド部材が、仮に２つの固定部材間に位置ずれが生じても、スムーズなスライド動作を可能とするディスク再生装置を提供するものである。また、他の目的は、薄型化、縦・横置きが可能であるディスク再生装置を提供しよう、とするものである。
【００１３】
【課題を解決するための手段】
上述の目的を達成するため、本発明は、ディスクの挿入に伴って第１の部材と第２の部材との間で規定されたスライド区間をスライド部材がスライドし、このスライド部材のスライドによって検出手段の切り替え動作が為され、ディスクの径の識別を行うディスク再生装置において、スライド部材は、スライド区間におけるスライド方向に対して垂直な平面内で傾倒可能に支持される傾倒支持手段を具備し、第１の部材は装置シャーシであると共に、第２の部材はディスクガイドであり、さらに、装置シャーシとスライド部材の間に設けられていて、凹部及び凸部の係合からなると共に装置シャーシに対してスライド部材をスライド自在に支持する第１の凹凸係合部と、ディスクガイドとスライド部材の間に設けられていて、凹部及び凸部の係合からなると共にディスクガイドに対してスライド部材をスライド自在に支持する第２の凹凸係合部と、を具備しており、第１の凹凸係合部及び第２の凹凸係合部によって傾倒支持手段が構成されていて、第１の凹凸係合部又は第２の凹凸係合部の少なくとも一方は、凸部がレール状体、及びこのレール状体に係合する上記凹部が係合溝から構成されるものである。
【００１７】
さらに、他の発明は、上述の発明に加えて更に、レール状体の突出側の端部は、曲面状に形成されているものである。
【００１８】
また、他の発明は、上述の各発明に加えて更に、第１の凹凸係合部又は第２の凹凸係合部のうち、レール状体および係合溝を除く部分は、凸部がピン状部材、及びこのピン状部材に係合する凹部がガイド溝から構成されるものである。
【００１９】
さらに、他の発明は、上述の各発明に加えて更に、スライド部材のうち、第１の凹凸嵌合部側又は第２の凹凸嵌合部を構成する凹部又は凸部の少なくとも１つが、スライド区間に沿う方向に長尺状となるスライド案内部を有していて、このスライド案内部の凹部又は凸部によって、スライド区間におけるスライド動作が安定的にガイドされるものである。
【００２０】
また、他の発明は、上述の各発明に加えて更に、装置シャーシには、この側方部分に弾性支持部材が取り付けられていて、この弾性支持部材を介して全体を覆うケース体内に収納されるものである。
【００２２】
【発明の実施の形態】
以下、本発明の一実施の形態について、図１から図３に基づいて説明する。なお、以下の説明のディスク再生装置は、光ディスクを再生するディスク再生装置となっているが、光磁気媒体や磁気媒体のディスクを再生するディスク再生装置にも、本発明を適用することができる。
【００２３】
ディスク再生装置１０は、図１に示すように、ケース体としてのアウターケース１１を有していて、このアウターケース１１内に、装置シャーシ２０等の他の部材が取り付けられる構成である。アウターケース１１は、図１に示すように、該アウターケース１１のケース底面１１ａから側面１１ｂ〜１１ｅが立設するように設けられている。この立設する側面１１ｂ〜１１ｅのうち、ディスク再生装置１０の正面部に相当する位置の側面１１ｄには、ディスク差込口１２が形成されている。ディスク差込口１２は、大径の１２ｃｍ相当のディスク１３の差し込みを良好に行える長さを有している。
【００２４】
また、ディスク差込口１２と対向する側面１１ｅは、所定の高さを有する板状部材となっている。また、ディスク差込口１２と隣り合う側面１１ｂ，１１ｃには、後述するダンパー６０を良好に支持するための支持凹部１４が形成されている。支持凹部１４は、夫々の側面１１ｂ，１１ｃに対して、ディスク差込口１２側、及びこのディスク差込口１２から離間する奥側の計２つが設けられ、２つの側面１１ｂ，１１ｃで合わせて合計４つ形成されている。
【００２５】
このようなアウターケース１１に対して、第１の部材としての装置シャーシ２０が内挿される。装置シャーシ２０は、図１に示すように、上面に各種装置・機構が取り付けられ、又は存置されるシャーシ底面２０ａを有している。シャーシ底面２０ａには、例えば光ピックアップ（不図示）や、ターンテーブル、及びターンテーブルに対してディスク１３を押し付けるためのクランパ、及びこのクランパを支持するためのクランパアーム等、ディスク再生装置１０のディスク再生部を構成するディスク再生装置が取り付けられている。
【００２６】
また、シャーシ底面２０ａには、レール状体及び凸部であり、スライド区間の一翼を担うガイドレール２１が連続的に設けられている。ガイドレール２１は、装置シャーシ２０のうちディスク差込口１２側に位置するものであり、アウターケース１１の底面１１ａから離間する向きに向かって、該アウターケース１１に対して略垂直に突出するように設けられている。
【００２７】
このガイドレール２１は、後述する検出スライダ３０ａ，３０ｂ（以後、検出スライダ３０ａ，３０ｂのどちらでも良い場合は、検出スライダ３０とする。なお、他の対を為す部材においても、同様とする。）を良好にスライドさせるためのものであり、図１に示すようにアウターケース１１の側面１１ｂ側の一端から側面１１ｃ側の他端に向かって同一断面を有する直線状に形成されている。
【００２８】
図２に示すように、ガイドレール２１は、その突出側端部２１ａの断面形状が略円形状を為すように、例えば所定のＲ（半径）を有して形成されている。それにより、このガイドレール２１に嵌め込まれる検出スライダ３０の傾倒が良好（図２においては、ｘだけ傾倒する場合を示す。）となるようにしている。なお、ガイドレール２１の突出高さは、ディスク差込口１２からディスク１３を差し込む場合に、後述する検出スライダ３０のスライド案内部３１が該ディスク１３と衝突しない高さとなっている。
【００２９】
かかるガイドレール２１に対してスライド自在に、スライド部材としての検出スライダ３０ａ，３０ｂが嵌め込まれる。検出スライダ３０は、図１及び図２に示すように、ガイドレール２１に嵌め込まれて該検出スライダ３０のスライドをガイドするスライド案内部３１と、ディスク１３が差し込まれた場合に該ディスク１３の縁部に衝突するディスク当接ピン３２と、ディスクガイド（詳細後述）５０のガイド溝に入り込み検出スライダ３０のスライドをガイドする凸部としてのガイドピン３３とを有している。このうち、スライド案内部３１は、図１に示すようにその外観が矩形の長片部材である。
【００３０】
また、検出スライダ３０のうち、ディスク当接ピン３２が突出形成されている側とは反対側の底面側には、ガイドレール２１の突出側端部２１ａが入り込む、凹部としての係合溝３４が形成されている。係合溝３４は、上述のガイドレール２１に嵌め込まれるものであり、スライド案内部３１の長手方向に沿って、かつガイドレール２１が差し込まれるために十分な深さを有するように形成されている。
【００３１】
なお、かかる係合溝３４とガイドレール２１によって、傾倒支持手段が構成されている。また、係合溝３４とガイドレール２１とは、第１の凹凸嵌合部を構成している。
【００３２】
ここで、係合溝３４がガイドレール２１に係合した状態を、図２（ａ），（ｂ）に示す。この図に示すように、係合溝３４の幅は、ガイドレール２１の突出側端部２１ａの直径とほぼ同一寸法の幅に形成されている。それにより、図２（ｂ）に示すように、ガイドレール２１に対して検出スライダ３０がガタつかずに、所定の角度分だけ傾倒可能に支持される構成となり、ガイドレール２１（装置シャーシ２０）と、後述するディスクガイド５０との間の寸法誤差が吸収可能となる。
【００３３】
また、一対のスライド案内部３１のうち、互いに向かい合う端面は、お互いに付き合わされる当接部３５となっている。そして、一対の検出スライダ３０ａ，３０ｂが互いに当接部３５で突き合わされている場合には、ディスク当接ピン３２同士の間隔が８ｃｍのディスク１３の直径よりも狭くなるように設けられている。また、８ｃｍのディスク１３を挿入した場合には、検出スライダ３０ａ，３０ｂがスライドして、その８ｃｍのディスク１３の挿入を良好に検知することを可能としている。
【００３４】
また、スライド案内部３１は、１２ｃｍのディスク１３が挿入された場合にも、ガイドレール２１上を良好にスライドして互いに離間し、該１２ｃｍのディスク１３の挿入幅を確保可能としている。この１２ｃｍのディスク１３が挿入された場合にも、検出スライダ３０ａ，３０ｂがスライドして、１２ｃｍのディスク１３の挿入を良好に検知することを可能としている。
【００３５】
このスライド案内部３１から上方に向かって、形状が例えば円柱形状のピン上部材となるディスク当接ピン３２が突出形成されている。ディスク当接ピン３２は、図１に示すように、スライド案内部３１のうち互いに離間する部位（図１に示すように、スライド案内部３１ａにおいては、アウターケース１１の側面１１ｂ側、スライド案内部３１ｂにおいては、側面１１ｃ側）に設けられている。このディスク当接ピン３２のうち、互いに向かい合う側はディスク１３の挿入・排出時にディスク１３の縁部に当接する部分である。
【００３６】
なお、ディスク１３の差し込み及び排出を良好にするために、ディスク当接ピン３２は、不図示の回転軸を中心として回転自在となるように設けても良い。また、ディスク当接ピン３２が回転しない場合には、ディスク１３に当接した場合の摩擦が小さくなるような材質、例えばＰＴＦＥ等のフッ素樹脂や超高分子量ポリエチレン（ＵＨＭＷＰＥ）、ポリアセタール（ＰＯＭ）等の機能樹脂で、ディスク当接ピン３２を形成することが好ましい。また、それらの摩擦が小さくなる材料をコーティングするようにしても良い。
【００３７】
また、ディスク当接ピン３２のうち、スライド案内部３１から離間する上端側からは、ガイドピン３３が突出形成されている。ガイドピン３３は、後述するディスクガイド５０のガイド溝５１に挿入される。それによって、検出スライダ３０ａ，３０ｂの上方側（装置シャーシ２０の底面から離間する側）における該検出スライダ３０ａ，３０ｂの大きなぐらつきを規制する。それによって、検出スライダ３０ａ，３０ｂの、上述のガイドレール２１及びガイド溝５１に沿うスライド動作を良好に行える構成となっている。
【００３８】
スライド案内部３１のうち、ディスク差込口１２から離間する奥側の側片には、バネ受け部３６（図１参照、図２では省略。）が設けられている。バネ受け部３６には、付勢手段としてのバネ４０の一端側が掛け止めされる。また、バネ４０の他端側は、装置シャーシ２０に設けられたバネ係止部２２に掛け止めされる。それによって、検出スライダ３０ａ，３０ｂに対して互いの当接部３５同士が当接する方向に付勢力が付与される。このため、ディスク１３の挿入に際しては、該ディスク１３の挿入に抗する方向に付勢力が付与される。
【００３９】
また、検出スライダ３０ａ，３０ｂがガイドレール２１にスライド自在に嵌め込まれた状態で、第２の部材としてのディスクガイド５０が取り付けられる。ディスクガイド５０は、図１に示すように、アウターケース１１のディスク差込口１２側の上方を覆うように配置されるものである。このディスクガイド５０は、上面部５０ａと側面部５０ｂ，５０ｃとから構成されている。このうち、上面部５０ａは上述の装置シャーシ２０とほぼ同等の幅を有しているが、側面部５０ｂ，５０ｃの折曲形成に対応する分だけ、装置シャーシ２０よりも僅かに幅広に形成されている。
【００４０】
このうち、上面部５０ａのうち、ディスク差込口１２側には、一対のガイド溝５１ａ，５１ｂが形成されている。ガイド溝５１ａ，５１ｂは、ガイドピン３３が差し込まれる部分であり、検出スライダ３０のスライドをディスクガイド５０側から案内するものである。このガイド溝５１の夫々は、８ｃｍのディスク１３の挿入時にガイドピン３３が十分スライドすると共に、１２ｃｍのディスク１３の挿入時にもガイドピン３３が十分にスライドし、かつ該ディスク１３の挿入の妨げとならない長さを有するように形成されている。
【００４１】
なお、ガイド溝５１とガイドピン３３とによって、第２の凹凸嵌合部が構成されており、さらにはこれらガイド溝５１，５１ｂが、スライド区間の一翼を担うものである。すなわち、ガイドレール２１と、ガイド溝５１によって、スライド区間が規定される。また、ガイド溝５１とガイドピン３３によって構成される第２の凹凸嵌合部は、傾倒支持手段を副次的に構成するものである。
【００４２】
また、ディスクガイド５０の幅方向の両端側からは、側面部５０ｂ，５０ｃが折曲形成されている。側面部５０ｂ，５０ｃは、装置シャーシ２０に対してディスクガイド５０の取付固定を為すものである。そのため、側面部５０ｂ，５０ｃのうちディスク差込口１２側には、弾性支持部材としてのダンパ６０を支持するダンパ支持軸６１に掛け止めされる軸係合部５２が設けられている。
【００４３】
軸係合部５２は、図１に示すように、側面部５０ｂ，５０ｃよりもさらに装置シャーシ２０の底面２０ａに向かって突出するように設けられていて、さらにアウターケース１１に取り付けられた場合に、該アウターケース１１の奥側からディスク差込口１２に向かうように切り欠かれた凹部５２ａが形成されている。この凹部５２ａは、ダンパ支持軸６１に対応した分だけ、切り欠かれている。
【００４４】
また、ディスクガイド５０のうち、アウターケース１１から見て奥側の両端には、ネジ固定部５３が各１つ設けられている。このネジ固定部５３は、ディスクガイド５０の奥側が装置シャーシ２０に取付固定される部分であり、装置シャーシ２０に形成されたネジ孔２３にネジ７０をねじ込むことで、両者の取付固定をなすものである。かかるネジ７０での固定を為すために、ネジ固定部５３は上面部５０ａのうち奥側の側面部５０ｂ，５０ｃに向かう位置を略半円形状に切り欠いている。
【００４５】
さらに、側面部５０ｂ，５０ｃの略半円形状に切り欠かれたネジ固定部５３の下方には、装置シャーシ２０の底面２０ａと対向するように、かつ上面部５０ａと平行となるように、ネジ受け部５４が、反対側の側面５０ｂ，５０ｃに向かうように突出形成されている。このネジ受け部５４に挿通孔５５が形成されている。それによって、この挿通孔５５にネジ７０を挿通させ、装置シャーシ２０側のネジ孔２３にネジ７０をねじ込むことにより、装置シャーシ２０とディスクガイド５０とがネジ７０によって固定され一体化される構成である。
【００４６】
すなわち、ディスク差込口１２側では、軸係合部５２によるダンパ支持軸６１への係合、アウターケース１１の奥側ではネジ７０での取付固定によって、装置シャーシ２０とディスクガイド５０との間の取付固定が為される。
【００４７】
なお、装置シャーシ２０とディスクガイド５０との間の取付固定は、これには限られず、複数のフックを設けてこのフックを引っ掛け孔に引っ掛けるものや、複数のネジによる取付固定、或いはこれらの組み合わせ等、種々変更可能である。
【００４８】
また、装置シャーシ２０の下面側（ディスクガイド５０が設けられる側とは反対となる装置シャーシ２０の裏面側）には、スイッチ基板８０が取り付けられる。スイッチ基板８０は、ディスク１３の挿入に伴って検出スライダ３０ａ，３０ｂが互いに離れる方向にスライドした場合にオン作動する第１の検出スイッチ８１及び第２の検出スイッチ８２ａ，８２ｂを、該スイッチ基板８０上に有しているものである。
【００４９】
すなわち、検出スライダ３０のスライドによって、第１の検出スイッチ８１及び第２の検出スイッチ８２ａ，８２ｂの少なくとも一方がオン作動させられる。このため、スイッチ基板８０は、装置シャーシ２０の下面側に取り付けられた場合に、該スイッチ基板８０上に配置される第１の検出スイッチ８１及び第２の検出スイッチ８２ａ，８２ｂが、装置シャーシ２０に設けられた穴部２４から飛び出すように設けられている。
【００５０】
ここで、穴部２４は、図１に示すように、検出スライダ３０ａ，３０ｂがスライドした場合に、該検出スライダ３０ａ，３０ｂの装置シャーシ２０側であってディスク差込口１２とは反対の奥側の側片が、この穴部２４から飛び出した第１の検出スイッチ８１及び第２の検出スイッチ８２ａ，８２の少なくとも一方を押して作動させることが可能な位置に形成されている。それにより、検出スライダ３０ａ，３０ｂのスライドの際に、良好に第１の検出スイッチ８１及び第２の検出スイッチ８２ａ，８２をオン作動させることを可能としている。
【００５１】
また、スイッチ基板８０上には、８ｃｍのディスク１３が挿入された場合に、この８ｃｍのディスク１３の挿入を検知する、検出手段の一翼を担う第１の検出スイッチ８１と、１２ｃｍのディスク１３が挿入された場合に、この１２ｃｍのディスク１３の挿入を検知する、同じく検出手段の一翼を担う一対の第２の検出スイッチ８２ａ，８２ｂとが同一直線上に配置されている。さらに、装置シャーシ２０に形成された穴部２４も、第１の検出スイッチ８１と、第２の検出スイッチ８２ａ，８２ｂに対応する位置であって同一直線となるような位置に夫々形成されている。
【００５２】
すなわち、装置シャーシ２０の表面側には、穴部２４を介して第１の検出スイッチ８１、及び第２の検出スイッチ８２，８２ｂが突出する。これと共に、８ｃｍのディスク１３の挿入に伴う検出スライダ３０ａ，３０ｂのスライドによって、第１の検出スイッチ８１がオン作動され、１２ｃｍのディスク１３の挿入に伴う検出スライダ３０ａ，３０ｂのスライドによって、第２の検出スイッチ８２ａ，８２ｂがオン作動されるように、穴部２４及び第１の検出スイッチ８１、第２の検出スイッチ８２ａ，８２ｂが配置されている。
【００５３】
ここで、第１の検出スイッチ８１及び第２の検出スイッチ８２は、メカ的スイッチであり、図１に示すように、スイッチ本体８３から押し込みつまみ８４がガイドレール２１に向かって突出するように設けられている。そして、スライド案内部３１の奥側の側片が、該押し込みつまみ８４を押し込み可能としている。すなわち、検出スライダ３０ａ，３０ｂがスライドして、第１の検出スイッチ８１及び第２の検出スイッチ８２の存する部位に差し掛かると、これら第１の検出スイッチ８１及び第２の検出スイッチ８２の少なくとも一方のスライド案内部３１の奥側の側片が押し込みつまみ８４を押し込む構成である。
【００５４】
また、スイッチ基板８０は、装置シャーシ２０に対して、例えばネジ７１により取付固定される。ネジ７１による取付固定を為すために、スイッチ基板８０には挿通孔８５が形成されていると共に、装置シャーシ２０にはネジ孔２５が形成されている。それによって、挿通孔８５にネジ７１を挿通させ、その状態で該ネジ７１をネジ孔２５にねじ込むことによって、スイッチ基板８０が装置シャーシ２０に対して取付固定される。この場合、ネジ７０とネジ７１を別個の物とはせずに、同一のネジ７０を用いて、ディスクガイド５０、装置シャーシ２０及びスイッチ基板８０が一体的に取り付けられるように構成しても良い。
【００５５】
なお、検出スイッチ８１，８２を取り付けているスイッチ基板８０を、装置シャーシ２０の下面に取り付ける構成とはせずに、装置シャーシ２０の上面やディスクガイド５０に取り付けるようにしても良い。この場合は、装置シャーシ２０の上面やディスクガイド５０への取り付けに適した形状とする必要がある。また、第１の検出スイッチ８１及び第２の検出スイッチ８２ａ，８２ｂを、ディスクガイド５０の裏面側に取付固定するようにしても良い。さらに、第１の検出スイッチ８１及び第２の検出スイッチ８２をスイッチ基板８０に取り付ける構成とはせずに、装置シャーシ２０に取り付ける構成としても良い。
【００５６】
以上のような構成を有するディスク再生装置１０を製作する場合には、ガイドレール２１に検出スライダ３０ａ，３０ｂを適正な向きとなるように係合させ、バネ４０の一端側をバネ受け部３６に他端側をバネ係止部２２に掛け止めする。その後に、軸係合部５２の凹部５２ａをダンパ支持軸６１に係止させ、これと共にガイドピン３３がディスクガイド５０のガイド溝５１に挿入されるようにする。
【００５７】
続いて、ディスクガイド５０の挿通孔５５と装置シャーシ２０のネジ孔２３との位置合わせを行い、この後に挿通孔５５にネジ７０を挿通させ、さらにネジ孔２３にネジ７０をねじ込む。それによって、ディスクガイド５０が装置シャーシ２０に取付固定される。
【００５８】
このディスクガイド５０と装置シャーシ２０の取付固定に際しては、ネジ孔２３、挿通孔５５又は軸係合部５２の凹部５２ａの間に寸法誤差が生じる場合がある。しかしながら、本実施の形態では、図２に示すように、検出スライダ３０ａ，３０ｂがガイドレール２１に対して所定の角度分だけ傾倒可能に設けられている。そのため、仮にネジ孔２３、挿通孔５５又は軸係合部５２の凹部５２ａの配置に、若干の寸法誤差が生じたとしても、図２（ｂ）に示すように検出スライダ３０ａ，３０ｂが傾倒することにより、かかる寸法誤差を十分吸収可能となっている。
【００５９】
また、ディスクガイド５０の装置シャーシ２０に対する取付固定とは別に、スイッチ基板８０の挿通孔８５にネジ７１を挿通させて該ネジ７１をネジ孔２５にねじ込む。それによって、穴部２４から第１の検出スイッチ８１及び第２の検出スイッチ８２ａ，８２ｂが露出した状態で、スイッチ基板８０が装置シャーシ２０に取付固定される。
【００６０】
そして、ディスクガイド５０及びスイッチ基板８０が取り付けられた装置シャーシ２０を、アウターケース１１内に装着し、両者を取付固定する。以上によって、ディスクガイド５０及びスイッチ基板８０を含む装置シャーシ２０の、アウターケース１１に対する取付固定が終了する。
【００６１】
このような構成のディスク再生装置１０によると、係合溝３４の幅は、ガイドレール２１の幅よりも大きめに形成され、ガイドレール２１に対して検出スライダ３０ａ，３０ｂが所定の角度分だけ傾倒可能となっている。このため、挿通孔５５にネジ７０を挿通させてこのネジ７０をねじ込んだ場合に、寸法誤差が生じてガイドレール２１とガイド溝５１との位置関係がずれていていも、ガイドレール２１に対する検出スライダ５０の傾倒によって、この寸法誤差を吸収可能となっている。
【００６２】
すなわち、装置シャーシ２０とディスクガイド５０に、ネジ孔２３や挿通孔５５等を形成した場合、双方で少しずつ形成位置のずれが生じると、かかる位置ずれが加算される場合がある。しかしながら、上述のように、検出スライダ３０を傾倒可能に設ければ、寸法誤差を吸収できる。しかも、ガイドレール２１の突出側端部２１ａが所定のＲ（半径）を有する円形断面状に形成されているため、ガイドレール２１に対する、検出スライダ３０の傾倒及びスライドを良好に行わせることが可能となる。
【００６３】
また、上述の装置シャーシ２０においては、ダンパ６０が装置シャーシ２０の側方に取り付けられていることから、縦・横置き兼用タイプである。それに加えて、スイッチ基板８０の取り付け態様の変更により、ディスク再生装置１０の薄型化を図ることが可能となる。すなわち、従来において、装置シャーシ２０に第１の検出スイッチ８１、及び第２の検出スイッチ８２ａ，８２ｂを取り付ける場合には、従来の取付態様に係る図３に示すように、装置シャーシ２０の底面２０ａに長溝を形成し、この長溝からピン状部材を突出させていた。このため、ディスク再生装置１０の薄型化が難しい、という問題があった。
【００６４】
これに対して、本発明では、ガイドレール２１を検出スライダ３０がディスク再生装置１０の内部側（装置シャーシ２０とディスクガイド５０との間の空間内）でスライドし、そのディスク再生装置１０の内部側でのスライドに対応して、第１の検出スイッチ８１及び第２の検出スイッチ８２ａ，８２ｂが該ディスク再生装置１０の内部側に位置するように構成している。それによって、ディスク再生装置１０の薄型化を図ることを可能としている。
【００６５】
また、この検出スライダ３０は、ガイドレール２１を有する装置シャーシ２０と、ガイド溝５１を有するディスクガイド５０、という２部材によって挟持された状態で支持されている。しかも、これら装置シャーシ２０とディスクガイド５０との間の取り付けも、両者のネジ７０による取付固定と、軸係合部５２とダンパ支持軸６１との間の係合によって支持されている。このため、少ない部品点数で、検出スライダ３０がスライド自在に支持されると共に、装置シャーシ２０とディスクガイド５０との間の取付固定が為されている。
【００６６】
さらに、検出スライダ３０には、ガイドレール２１に沿う方向に長手を有するスライド案内部３１及びこのスライド案内部３１に形成された係合溝３４が形成されている。このため、検出スライダ３０のスライドを安定的に行うことが可能となる。
【００６７】
また、従来の図８に示したように、第１の検出スイッチ８１（１０６）と、第２の検出スイッチ８２（１０７）が搭載されるスイッチ基板８０（図８では対応なし）がディスク１３（１０８）の上方に位置するのではなく、本発明ではディスク１３（１０８）の下方に配置する設計が可能となる。このため、ディスク再生装置１０のメイン基板である装置シャーシ２０との一体化を図ることも可能となり、このように設計した場合には、部品点数を削減することができる。また、このような部品点数の低減化により、ディスク再生装置１０を製作する場合のコストの低減化が可能となる。
【００６８】
以上、本発明の一実施の形態について述べたが、本発明はこれ以外にも種々変形可能となっている。以下、それについて述べる。
【００６９】
上述の実施の形態においては、ガイドレール２１に対する検出スライダ３０の取り付けについて、図１及び図２に基いて説明したが、検出スライダ３０がガイドレール２１に対して傾倒可能であれば、ガイドレール２１や検出スライダ３０の形状は種々変更可能である。
【００７０】
その具体例を図４から図７に示す。このうち、図４に示すタイプでは、装置シャーシ２０に突出したガイドレール２１を設けるのではなく、逆に凹んだスライド溝９０を設けたものである。スライド溝９０に挿入された検出スライダ３０のスライド溝９０側の端部９１の根元が、該スライド溝９０と隙間Ｇ１を有すると共に滑らかな曲面状（図４では、断面略球状）に形成されている。それによって、検出スライダ３０が滑らかにスライド可能であると共に傾倒可能な構成としたものである。
【００７１】
また、図５に示すタイプでは、装置シャーシ２０のディスク差込口１２側の端部９２が滑らかな曲面状（図５では、断面略球状）に形成され、この装置シャーシ２０の端部９２が検出スライダ３０のスライド溝９３に嵌め込まれている。しかもスライド溝９３と端部９２の根元との間に所定の隙間Ｇ２が存していて、該検出スライダ３０が滑らかに傾倒可能な構成としたものである。
【００７２】
さらに、図６に示すタイプでは、検出スライダ３０に断面円形孔状で全体として円柱状の長孔９４が形成され、この長孔９４に対して、別途の軸部材９５が挿通されるものである。それによって、検出スライダ３０が別途の軸部材９５に対して傾倒可能としている。
【００７３】
また、図７に示すタイプでは、ガイドレール２１の突出側端部２１ａが略半円形状の半円部９６に形成されていると共に、検出スライダ３０の係合溝３４も断面が円弧を描いて半円部９６と係合する凹形状に形成されている。この場合、係合溝３４の凹形状は、半円に達せずに、半円部９６の中心Ｏと係合溝３４の縁部とが距離ｙを有するように構成されている。それによって、検出スライダ３０はガイドレール２１に対して傾倒可能となっている。
【００７４】
また、上述の実施の形態では、ガイドレール２１を装置シャーシ２０側、ガイド溝５１をディスクガイド５０側に形成して、検出スライダ３０のスライドをガイドしているが、これとは逆に、ガイドレール２１をディスクガイド５０側、ガイド溝５１を装置シャーシ２０に設けるようにしても良い。
【００７５】
さらに、検出スライダ３０が装置シャーシ２０及びディスクガイド５０に対してスライド可能であって、該検出スライダ３０を傾倒させた状態で支持する傾倒支持手段を具備する構成であれば、凹凸の嵌合形状は、特に限定されるものではない。
【００７６】
また、上述の実施の形態においては、検出スライダ３０ａ，３０ｂがバネ４０によって付勢力を与えられた状態でガイドレール２１をスライドすると共に、検出スライダ３０ａ，３０ｂがガイドレール２１に対して傾倒する構成が開示されている。しかしながら、検出スライダ３０ａ，３０ｂの傾倒のための構成を除いて、バネ４０によって検出スライダ３０ａ，３０ｂ同士が互いに当接する構成のみを抜き出すことも可能である。
【００７７】
この場合には、特に調整しなくても、ディスク１３の非挿入時には一対のバネ４０の強弱に応じて力の釣り合った位置に、検出スライダ３０ａ，３０ｂが保持される。そして、ディスク１３が挿入される場合には、検出スライダ３０ａ，３０ｂは互いに力の釣り合いが取れているため、両方の検出スライダ３０ａ，３０ｂが略同時にスライドさせることができる。それによって、検出スライダ３０ａ，３０ｂは良好にスライドしてディスク１３を挿入可能となる。
【００７８】
【発明の効果】
本発明によれば、スライド部材は、スライド区間におけるスライド方向に対して垂直な平面内で傾倒可能に支持する傾倒支持手段を具備している。このため、第１の部材と第２の部材との間に、寸法誤差が生じていても、傾倒支持手段によってスライド部材は該スライド区間に対して傾倒した状態で支持される。それによって、第１の部材と第２の部材との間に生じた寸法誤差を吸収可能となり、スライド部材はスライド区間内を良好にスライド可能となる。
【図面の簡単な説明】
【図１】本発明の一実施の形態に係るディスク再生装置の構成を示す分解斜視図である。
【図２】図１のディスク再生装置において、検出スライダのガイドレールに対する取付状態を示す側断面図で、（ａ）は検出スライダが垂直に設置された状態を示し、（ｂ）は検出スライダが傾倒して設置された状態を示している。
【図３】図１のディスク再生装置の検出スライダ及び検出スイッチの取付態様との比較のために用いられる、従来の検出スライダ及び検出スイッチの取付態様の一例を示す部分側断面図である。
【図４】本発明の変形例に係わり、装置シャーシのスライダ溝と検出スライダの端部の根元とが所定の隙間を有し、検出スライダが滑らかに傾倒可能な構成を示す部分側断面図である。
【図５】本発明の変形例に係わり、装置シャーシの端部の根元と検出スライダのスライド溝とが所定の隙間を有し、検出スライダが滑らかに傾倒可能な構成を示す部分側断面図である。
【図６】本発明の変形例に係わり、検出スライダに断面円形の円孔状の長孔が形成され、この長孔に軸部材が挿入され、検出スライダが該軸部材に対して傾倒自在とする構成を示すものである。
【図７】本発明の変形例に係り、突出側端部が半円形状に形成されているガイドレールに対する検出スライダの取付状態を示す側断面図である。
【図８】従来のディスク再生装置における、メカ的な検出スイッチを用いてディスクの径を検出する構成の一例を示す部分斜視図である。
【図９】従来のディスク再生装置における、光センサを用いてディスクの径を検出する構成を示す部分斜視図である。
【図１０】従来のディスク再生装置におけるシャーシに対するダンパの取付態様を示す図であり、（ａ）はシャーシの側面側にダンパを取り付けたもの、（ｂ）はシャーシの底部側にダンパを取り付けたもの、（ｃ）はシャーシの側面側にダンパを取り付けると共に、回動アームを設けたものである。
【符号の説明】
１０…ディスク再生装置
１１…アウターケース（ケース体）
１２…ディスク差込口
１３…ディスク
２０…装置シャーシ（第１の部材）
２１…ガイドレール（レール状体、スライド区間の一部、第１の凹凸嵌合部の一部、傾倒支持手段の一部）
３０ａ，３０ｂ…検出スライダ（スライド部材、第１の凹凸嵌合部の一部、第２の凹凸嵌合部の一部）
３１…スライド案内部
３２…ディスク当接ピン
３３…ガイドピン（凸部、第２の凹凸嵌合部の一部、傾倒支持手段の一部）
３４…係合溝（凹部、第１の凹凸嵌合部の一部、傾倒支持手段の一部）
４０…バネ（付勢手段）
５０…ディスクガイド（第２の部材）
５１…ガイド溝（凹部、スライド区間の一部、第２の凹凸嵌合部の一部、傾倒支持手段の一部）
６０…ダンパ（弾性支持部材）
８１…第１の検出スイッチ（検出手段の一部）
８２ａ，８２ｂ…第２の検出スイッチ（検出手段の一部）
【図１】
0004027667.tif 000002
【図２】
0004027667.tif 000003
【図３】
0004027667.tif 000004
【図４】
0004027667.tif 000005
【図５】
0004027667.tif 000006
【図６】
0004027667.tif 000007
【図７】
0004027667.tif 000008
【図８】
0004027667.tif 000009
【図９】
0004027667.tif 000010
【図１０】
0004027667.tif 000011